(57)【要約】【課題】印字体の保持部材とホルダー部との嵌合力が初回の取り外し時のみ弱くて容易に離脱することができ、その後は嵌合力が強くて離脱困難な状態にすることができるスタンプユニットを提供する。【解決手段】ユニット本体１がホルダー部２と、印字体５の保持部材３と、インキ吸収体７と、キャップ４を備えており、前記保持部材３とホルダー部２との嵌合力を、保持部材３とキャップ４との嵌合力よりも強くなるように構成するとともに、前記保持部材３とホルダー部２との嵌合部分には、両者の嵌合力を弱めるための帯状の離脱用補助シート２０を介在させた。印字体が備えられた前記保持部材３は、ユニット本体1から取り外し印面加工機にセットして印面模様が形成されるものが好ましい。【選択図】図３
2019126994.tif 000002
【特許請求の範囲】
【請求項１】
ユニット本体がホルダー部と、印字体の保持部材と、インキ吸収体と、キャップを備えており、
前記保持部材とホルダー部との嵌合力を、保持部材とキャップとの嵌合力よりも強くなるように構成するとともに、
前記保持部材とホルダー部との嵌合部分には、両者の嵌合力を弱めるための離脱用補助シートを介在させたことを特徴とするスタンプユニット。
【請求項２】
離脱用補助シートは、少なくとも端部に粘着層が設けられており、この粘着層を介して離脱用補助シートがホルダー部の内側に貼着固定されている請求項１に記載のスタンプユニット。
【請求項３】
印字体が備えられた前記保持部材を、ユニット本体から取り外し、印面加工機にセットして、印面模様が形成されるものである請求項１または２に記載のスタンプユニット。
【発明の詳細な説明】
【技術分野】
【０００１】
本発明は、印字体の保持部材とホルダー部との嵌合力が初回の取り外し時のみ弱くて容易に離脱することができ、その後は嵌合力が強くて離脱困難な状態にすることができるスタンプユニットに関するものである。
【背景技術】
【０００２】
従来から、ホルダー部と、印字体の保持部材と、インキ吸収体と、キャップを備えたスタンプは広く使用されている。このようなスタンプでは、使用の都度キャップを取り外すため保持部材とキャップとの嵌合力は弱くしてあり、ホルダー部は原則として取外し不要のため保持部材とホルダー部との嵌合力は強くしてあるのが普通である。
【０００３】
また最近では、各種のイベント会場等で客が印面加工機によりその場でオリジナルスタンプを作成することができるシステムが開発され注目を集めている。この場合は、客がスタンプユニットを購入し、中から印字体を取り出して印面加工機によりオリジナルな印面を作成した後、スタンプユニットを組み立ててスタンプを完成することになる。しかしながら、印字体を取り出すために保持部材をホルダー部から取り外そうとすると、両者の嵌合力が強くて簡単には取り外せないという問題があった。
【０００４】
一方、印判の嵌合離脱を簡単に行えるものとして、連結解除手段を設けたスタンプが提案されている（例えば、特許文献１や特許文献２を参照）。しかしながら、いずれの解除装置も常設されているため、スタンプ全体の機構が大型化するという問題や、誤って作動させた場合は使用者が意図しないところで印判の連結が解除されて不都合が生じるという問題があった。従って、初回のみは保持部材をホルダー部から簡単に取り外すことができ、それ以降は簡単に取り外すことができないという新たな構造のスタンプユニットの開発が望まれていた。
【先行技術文献】
【特許文献】
【０００５】
【特許文献１】特開２０１１−２３５６０３号公報
【特許文献２】実開平３−５０４６２号公報
【発明の概要】
【発明が解決しようとする課題】
【０００６】
本発明は上記のような従来の問題点を解決して、保持部材をホルダー部から取り外す場合に初回のみは簡単に行うことができ、２回目以降は保持部材とホルダー部との嵌合力が強くて容易に離脱することがなく、スタンプとして安定した使用感を発揮することができる新たな構造のスタンプユニットを提供することを目的としている。
【課題を解決するための手段】
【０００７】
上記課題を解決するためになされた本発明のスタンプユニットは、ユニット本体がホルダー部と、印字体の保持部材と、インキ吸収体と、キャップを備えており、
前記保持部材とホルダー部との嵌合力を、保持部材とキャップとの嵌合力よりも強くなるように構成するとともに、
前記保持部材とホルダー部との嵌合部分には、両者の嵌合力を弱めるための離脱用補助シートを介在させたことを特徴とするものであり、これを請求項１に係る発明とする。
【０００８】
また、その他の好ましい実施形態によれば、前記離脱用補助シートの端部には粘着層が設けられており、この粘着層を介して離脱用補助シートがキャップの内側に貼着固定されているものが好ましく、これを請求項２に係る発明とする。
【０００９】
また、その他の好ましい実施形態によれば、印字体が備えられた前記保持部材をユニット本体から取り外し、印面加工機にセットして印面模様が形成されるものであるものが好ましく、これを請求項３に係る発明とする。
【発明の効果】
【００１０】
請求項１に係る発明では、ユニット本体がホルダー部と、印字体の保持部材と、インキ吸収体と、キャップを備えており、前記保持部材とホルダー部との嵌合力を、保持部材とキャップとの嵌合力よりも強くなるように構成するとともに、前記保持部材とホルダー部との嵌合部分には、両者の嵌合力を弱めるための離脱用補助シートを介在させたものとしたので、前記離脱用補助シートを引っ張ると嵌合部分の嵌合状態が弱い力で即座に解除されてホルダー部を保持部材から簡単に離脱させることができる。一方、離脱用補助シートを除去した後は、保持部材とホルダー部を嵌合すると離脱用補助シートが介在せずに強固な嵌合状態となるため、簡単には離脱しないこととなる。
【００１１】
また、請求項２に係る発明では、離脱用補助シートは、少なくともその端部に粘着層が設けられており、この粘着層を介して離脱用補助シートがキャップの内側に貼着固定されているものとしたので、離脱用補助シートが自然に外れることがなく、また、引っ張り上げた場合も一端が貼着固定されているのでホルダー部を確実に持ち上げることでき、ホルダー部の取り外しを容易に行えることとなる。
【００１２】
また、請求項３に係る発明では、印字体が備えられた保持部材を、ユニット本体から取り外して印面加工機により印面模様が形成されるものとしたので、印面加工機によりオリジナルな印面を作成する目的で客がスタンプユニットから印字体が備えられた保持部材を取り出す場合、初回のみは離脱用補助シートを引っ張り上げて保持部材をホルダー部から容易に取り外すことができ、印字体が備えられた保持部材を簡単に印面加工機にセットすることができる。また、スタンプユニットを組み立ててスタンプを完成した後は、保持部材とホルダー部の嵌合力が強くて簡単には取り外せないので、安定した状態で押印作業ができる。
【図面の簡単な説明】
【００１３】
【図１】（ａ）は本発明の実施の形態を示す平面図、（ｂ）は正面図、（ｃ）は右側面図である。
【図２】本発明の実施の形態を示す全体斜視図である。
【図３】図１におけるＡ−Ａ断面図である。
【図４】図１におけるＢ−Ｂ断面図である。
【図５】スタンプとして完成した状態を示すＡ−Ａ断面図である。
【図６】ホルダー部に離脱用補助シートを取り付けた状態を示す斜視図である。
【図７】離脱用補助シートを引き上げた状態を示す斜視図である。
【図８】スタンプとして使用する状態を示す斜視図である。
【図９】印面加工機へセットする時のスタンプの状態を示す斜視図である。
【図１０】本発明の実施形態による印面加工機の外観図である。
【発明を実施するための形態】
【００１４】
以下に、図面を参照しつつ本発明の好ましい実施の形態を示す。
図１は、本発明に係るスタンプユニットを示す平面図、正面図、側面図であり、図２は全体斜視図である。なお、本明細書でいうスタンプユニットとは、ユニット内から印字体を備える保持部材を取り出して印面加工機等によりオリジナルな印面を作成した後、スタンプユニットを組み立ててスタンプを完成するのに供給される一式のキット商品を意味している。
【００１５】
図面において、１はユニット本体であり、このユニット本体１は押印するときの持ち手部分となるホルダー部２と、印字体５を保持するための保持部材３と、インキ吸収体７と、印面を覆うキャップ４を備えている。なお、印字体５とインキ吸収体７については後述する。
【００１６】
図３は図１におけるＡ−Ａ断面図、図４はＢ−Ｂ断面図である。
前記保持部材３の下面には、インキ吸収体７が装着されており、また、周壁下部には融着枠６が装着されている。更に、この融着枠６には印字体５が取り付けられている。なお、図３〜４はスタンプユニットを示すもので、印面加工時は、図９に示すように、印字体５、融着枠６、インキ吸収体７を備えた保持部材３を加工機にセットし、印面を加工する。印面加工後、スタンプとして使用する場合は、図５に示すように、融着枠６を押し上げて印字体５とインキ吸収体７とが接触した状態で最終嵌合される構造となっている。
【００１７】
前記保持部材３は中央部に鍔部３ａを有しており、この鍔部３ａの上方にある周壁上部には凹部８ａが形成され、また、ホルダー部２の内壁下端には凸部８ｂが形成されており、これらの凹部８ａと凸部８ｂとを係合させることによって、保持部材３とホルダー部２とが連結される構造となっている。一方、前記鍔部３ａの下方には凹部９ａが形成され、また、キャップ４の内壁下端には凸部９ｂが形成されており、これらの凹部９ａと凸部９ｂとを係合させることによって、保持部材３とキャップ４とが連結される構造となっている。
なお、前記保持部材３とキャップ４との嵌合力は、押印の際に容易に開けられるよう比較的弱いものとなっているが、保持部材３とホルダー部２の嵌合力は、印字体５の印面作成のために最初１回だけ開けるのみで、後は外れないように強固に連結していることが望ましい。このため、前記嵌合力は保持部材３とキャップ４との嵌合力よりも強くなるように構成されている。
【００１８】
また、前記保持部材３とホルダー部２との嵌合部分には、両者の嵌合力を弱めるための離脱用補助シート２０が介在されている。
この離脱用補助シート２０は、前記凹部８ａと凸部８ｂとの間に介在されるとともに、一端を外部へ突出させて引っ張り部としてある。この離脱用補助シート２０が介在していると、前記凹部８ａと凸部８ｂの嵌合力が弱まり、離脱用補助シート２０を引っ張ると嵌合部分の嵌合状態が弱い力で即座に解除されてホルダー部２を保持部材３から簡単に離脱させることが可能となる。
【００１９】
また、図６に示すように、前記離脱用補助シート２０の端部に粘着層を設けておき、この粘着層を介して離脱用補助シート２０がホルダー部２の内側に貼着固定させることもできる。この場合は、取扱い性が向上するので好ましい。
なお、離脱用補助シート２０は前記凹部８ａと凸部８ｂの嵌合力を弱めるとともに、引っ張り上げたときに嵌合部分を解除するものである。従って、離脱用補助シートは、紙葉類、プラスチックシート、ゲル状の高分子など、上記の嵌合部分に介在し、嵌合力を弱めるものであれば、材質を問わないが、その材質としてはテープが滑り出てこないように若干の摩擦抵抗のある紙や合成樹脂紙等を使用することが好ましい。また、シートの厚みは１０〜３００μｍ、幅は２〜２０ｍｍで、帯状のものが適している。
【００２０】
次に、以上のように構成したスタンプユニットの完成方法について説明する。
例えば、各種のイベント会場等でスタンプユニットを購入した客は、図１に示されるように、セットされた状態のユニット本体から印字体５を取り出して印面を作成する。この場合、印面加工機には前記印字体５が備えられた保持部材３とともにセットする機構となっているため（図９、１０）、保持部材３をホルダー部２から離脱させる必要がある。
【００２１】
本発明では、前記保持部材３とホルダー部２との嵌合部分には、両者の嵌合力を弱めるための離脱用補助シート２０を介在させた構造となっているので、離脱用補助シート２０を上方に向けて引き上げると、図７に示されるように、凹部８ａと凸部８ｂの嵌合部が弱い力で即座に解除されてホルダー部２を保持部材３から簡単に離脱させることができる。次いで、キャップ４を外して印字体５と保持部材３を印面加工機にセットするが、キャップ４の嵌合力は弱いため簡単に取り外しができる。
【００２２】
次に、印面加工機３０を利用して印面を加工する場合について簡単に説明する。
図１０に示すように、印字体５が備えられた保持部材３をカセット３１に装着したうえ、このカセット３１を印面加工機３０の引き出しトレイ３２にセットする。その後、ディスプレイ３３を見ながら操作キー３４を操作して任意のデザインの印面を作成する。印面加工が終了した後は、保持部材３をカセット３１から取り出して印面加工機３０の操作を終了する。
【００２３】
印面加工機によって任意の印面を加工した後は、印字体５と保持部材３を再びホルダー部２にセットする。このときは、前記離脱用補助シート２０は取り除いておくので、凹部８ａと凸部８ｂは強い嵌合力で連結されることとなる。なお、印面の加工と同時に、融着枠６が押し上げられ印字体５とインキ吸収体７とが接触した状態で最終嵌合されることとなる（図５を参照）。以上のようにしてスタンプを完成した後は、一般のスタンプと同様にキャップ４を外して押印することができる。
【００２４】
以上の説明からも明らかなように、本発明は保持部材をホルダー部から取り外す場合に初回のみは簡単に行うことができ、２回目以降は保持部材とホルダー部との嵌合力が強くて容易に離脱することがなく、スタンプとして安定した使用感を発揮することができることとなる。また、離脱用補助シートが目印となるので、取り外し時に間違いなくホルダー部を取り外すことができ、他の嵌合を外してしまうことがないという利点や、連結解除機構を設けてないので、スタンプ機構を小型化できるという利点もある。
【符号の説明】
【００２５】
１  ユニット本体
２  ホルダー部
３  保持部材
３ａ  鍔部
４  キャップ
５  印字体
６  融着枠
７  インキ吸収体
８ａ  凹部
８ｂ  凸部
９ａ  凹部
９ｂ  凸部
２０  離脱用補助シート
３０  印面加工機
３１  カセット
３２  引き出しトレイ
３３  ディスプレイ
３４  操作キー
【図１】
2019126994.tif 000003
【図２】
2019126994.tif 000004
【図３】
2019126994.tif 000005
【図４】
2019126994.tif 000006
【図５】
2019126994.tif 000007
【図６】
2019126994.tif 000008
【図７】
2019126994.tif 000009
【図８】
2019126994.tif 000010
【図９】
2019126994.tif 000011
【図１０】
2019126994.tif 000012